(57)【要約】【課題】  乗用に用いる場合には、後部座席が乗用に適した形状と固さに設定されるとともに背もたれを備えることができ、荷台として用いる場合には後部座席が平面状になり荷台に適した固さになると同時に、背もたれを収納できる自動二輪車の後部座席装置を提供する。更に雨具等を収納できる小物入れを提供する。【解決手段】  自動二輪車の後部座席に、折りたたまれた時に荷台として用いる機能を有していることを特徴とした、折りたたみ可能な背もたれを備える。更に好ましくは上記背もたれに小物入れを備える。【選択図】      図１
2005335660.tif 000002
【特許請求の範囲】
【請求項１】
自動二輪車において、折りたたみ可能な背もたれを後部座席に備え、前記背もたれは後部座席の座面に折りたたまれる格納位置と、立てた状態にある起立位置を選択的に変更可能であり、前記背もたれは前記格納位置において荷台として機能することを特徴とする、二輪車用後部座席装置。
【請求項２】
前記背もたれは小物入れを備えることを特徴とする、請求項１記載の二輪車用後部座席装置。
【発明の詳細な説明】
【技術分野】
【０００１】  本発明は自動二輪車の後部座席に関し、座席と荷台の機能に関する。
【背景技術】
【０００２】  二人乗り用の後部座席を備えた二輪車において、後部座席に着座した乗員は自動二輪車の加速及び減速に対処する必要がある。従来技術では、後部座席の乗員は運転者の体、座席に備わったバンド、または自動二輪車体に掴まり、上記の加速及び減速に対処している。しかしながら快適に乗車しているとは言い難いという問題がある。【０００３】  前記問題の解決手段として自動二輪車の後部座席に背もたれを備えたものが提供されている。上記背もたれは後部座席の乗員の体を保持でき、自動二輪車の加速及び減速に対する乗員の対処に効果を奏している。【０００４】  しかし一般にスポーツタイプと称される自動二輪車においては、背もたれは外見上好ましくないとされ、ユーザは後部座席の背もたれを敬遠する傾向にある。【０００５】  自動二輪車において、後部座席は荷台として用いられることが多い。本来後部座席は乗員用として構成されているため座面を平坦とすると乗り心地が悪くなるという問題があり、同時に座面を乗用に適した形状にすると荷台に適さないという問題がある。このため多くの自動二輪車では後部座席の座面は平面に近い形状とされていることが多い。【０００６】  更に後部座席は乗用に供するためクッション材を用いている。クッション材は乗用に適しているが荷台として用いる場合には荷物の固定に支障が生じるという問題がある。【０００７】  屋根を備えていない自動二輪車にとって雨は望まれない自然現象である。自動二輪車の乗員は雨に備える雨具としてレインスーツを着用する。しかし雨が上がるとレインスーツは脱ぐのが一般的である。その時レインスーツを収納することが望まれる。
従来技術では座席の下部にレインスーツの収納スペースを提供している。しかし収納の際には座席を取り外す作業が必要とされ、このため収納作業が煩わしいという問題がある【０００８】  上記の問題が解決され、すなわち乗用に用いる場合には、座席が乗用に適した形状と固さになるとともに背もたれを備えることができ、荷台として用いる場合には座席が荷台に適した固さで平面状になり、更に背もたれを収納できる自動二輪車の後部座席装置が提供されれば自動二輪車のユーザにとって便利になる。
更に背もたれに小物、更には雨具が収納できればより便利になる。【０００９】  上記の問題の解決手段として自動二輪車の後部搭乗者用背もたれ（特許文献１）が考案されている。特許文献１によれば後部座席に背もたれを備え、使用しない時は前方に格納できる構成となっている。後部座席の乗員に走行に対処し体を保持する効果を奏しているが、背もたれが約９０度とほぼ直角に限定されており、加速時には体を保持する効果を顕著に奏するが、減速時には効果が半減するという問題がある。背もたれを９０度よりやや後方に倒す事により、減速時に体を保持する効果を顕著に奏するが、特許文献１の技術ではこのように構成できないという問題もある。【００１０】  前述した従来技術による自動二輪車及び特許文献に記載された従来技術によれば、後部座席を着座に特化した形状に構成することは荷物の搭載時に問題がある。また後部座席を荷台として機能させる構成となっていない。
【特許文献１】    特開２００２−００２５６８号公報
【発明の開示】
【発明が解決しようとする課題】
【００１１】  本発明が解決しようとする課題は、上記の問題に鑑み、乗用に用いる場合には、後部座席が乗用に適した背もたれを備えることができ。また乗用に用いない場合には、背もたれを収納できるとともに荷台として背もたれを利用できる自動二輪車の後部座席装置を提供する事にある。
【課題を解決するための手段】
【００１２】  本発明に係る後部座席装置は、上記課題を解決するため、次のように構成される。【００１３】  第１の本発明に係る後部座席装置（請求項１に対応）は、折りたたまれた時に荷台として用いる機能を有していることを特徴とした、折りたたみ可能な背もたれを後部座席に備える。【００１４】  第２の本発明に係る後部座席装置（請求項２に対応）は、上記背もたれに雨具等を収納できるスペースを備える。
【発明の効果】
【００１５】  本発明によれば、乗用に供する時は乗用に適した座面と背もたれを備えた後部座席を提供し、荷台に供する時は背もたれを格納し、荷台に適した後部座席を提供できる。
この効果として後部座席の乗員は背もたれを用いることにより走行中の姿勢保持が楽になり、更に自動二輪車の加速及び減速による体重移動にも容易に対処可能となる。このことから後部座席の乗員は快適な走行を楽しむことができるとともに、安全性が高められる。また本発明によれば、一人乗車の時、背もたれが後部座席の座面をカバーすると同時に背もたれがカウル（パネル）のように視認できるため、スポーツタイプと称される自動二輪車における重要な要素であるかっこ良さを奏することができる。【００１６】  また本発明によれば、自動二輪車の運転者は一人乗車の時、荷物を後部座席に安定して積載することができる。
【発明を実施するための最良の形態】
【００１７】  以下に、本発明の好適な実施形態（実施例）を添付図面に基づいて説明する。なお、ここでは運転中の乗員から見た方向を前後左右とする。【００１８】  図１及び図２は、本発明による後部座席装置の全体構成を示す斜視図である、後部座席装置は自動二輪車の後部座席に適用され、ここではスポーツタイプと称される自動二輪車を用い、その一部分を図示して説明する。図１では背もたれは起立状態であり、図２では背もたれは格納状態にある。【００１９】  図１に示すように、後部座席装置１０は、背もたれ１１、後部座席１２を備える。背も。また図２に示すように背もたれ１１は背面に荷台１１ａを備えている。後部座席１２は図示しない固定具により自動二輪本体に固定されている。【００２０】  図３は背もたれ１１を示す斜視図である。後述するフレーム２１ａ，２１ｂが突出している方が自動二輪車の前方に位置する。【００２１】  図３に示すフレーム２１ａ，２１ｂは背もたれ１１を構成するフレームである。フレーム２１ａ，２１ｂはガイド部２２ａ，２２ｂをそれぞれ備えている。２本のフレーム２１ａ，２１ｂはフレーム２３により間隔を保ち連結されている。このように背もたれ１１はフレーム２１ａ，２１ｂ，２３を骨格として構成されている。【００２２】  図４は背もたれ１１が後部座席装置に装着された状態における、背もたれ１１の可動状態を段階的に示した図である、ここでは判読しやすくする為、背もたれ１１のフレームの一部を抽出し図示してしている。【００２３】  図４に示す支柱２４は、自動二輪車車体に図示しない固定具で左右方向に固定されている。支柱２４は少なくとも両端部は円柱であり、フレーム２１ａ，２１ｂのガイド部２２ａ，２２ｂを貫通し、フレーム２１ａ，２１ｂを回転自在及びスライド自在に固定している。【００２４】  更に後部座席装置は、車体側にポケット部２５ａ，２５ｂ，２６ａ，２６ｂを備え、自動二輪車体に固定している。ポケット部２５ａ，２５ｂは起立状態に選択された背もたれ１１のフレーム２１ａ，２１ｂを格納し、ポケット部２６ａ，２６ｂは格納状態に選択された背もたれ１１のフレーム２１ａ，２１ｂを格納する。【００２５】  背もたれ１１の収納状態から起立状態への動作を説明する。
収納状態において、背もたれ１１は図２及び図４の４０ａに示すように水平またはほぼ水平状態に位置している。この時フレーム２１ａ，２１ｂの後端部はポケット部２６ａ，２６ｂに格納されている。ポケット部２６ａ，２６ｂはフレーム２１ａ，２１ｂを保持し、背もたれ１１の不用意な回転を防いでいる。
この時乗員は背もたれ１１を荷台として用いることができる、背もたれ１１は後部座席を荷台として代用する場合と比べ堅くかつ平面状であるので、乗員はゴムひも等を併用して荷物を背もたれ１１に強固に固定することができる。【００２６】  起立状態にする為に、先ず乗員は背もたれ１１を前方に引く、図４の４０ａに示すように背もたれ１１のフレーム２１ａ，２１ｂがスライドしポケット部２６ａ，２６ｂから抜かれ、背もたれ１１はフレーム２１ａ，２１ｂとともに回転可能となる。次に乗員は背もたれ１１を後方に回転させる、この回転操作によって背もたれ１１はフレーム２１ａ，２１ｂと共に支柱２４の両端部を支点として起立される。【００２７】  図４の４０ｂに示すように、フレーム２１ａ，２１ｂがポケット部２５ａ，２５ｂの当接することにより、背もたれ１１は予め定められた起立角度より後方へ倒れることはなく回転は終了する。【００２８】  フレーム２１ａ，２１ｂは起立することによりポケット部２５ａ，２５ｂにスライドしながら収納される、ポケット部２５ａ，２５ｂへの収納は重力により自然に行われ安定した起立状態となる。この際に乗員の手の力によってフレーム２１ａ，２１ｂをポケット２５ａ，２５ｂへ収納することに問題はない。
収納が完了すると図４の４０ｃに示すようにフレーム２１ａ，２１ｂは起立して安定する。このようにフレーム２１ａ，２１ｂと共に背もたれ１１が起立状態になり図１に示す状態になる。【００２９】  背もたれ１１の起立状態において、後部座席の座面が露出し着座が可能となる。上記のように後部座席を着座に使用しない時は、後部座席が背もたれ１１によって隠されるので後部座席の座面の外観を考慮する必要がなく、また荷物は背もたれ１１に積載されるため、後部座席の座面を平面状に構成する必要もない。その効果として後部座席は着座に特化した形状に構成可能となり、乗員は快適により安定した着座が可能となる。また背もたれ１１を併せて使用できるため、自動二輪車の加速及び減速による体重移動にも無理なく対処できる乗車が可能となる。このとき背もたれ１１が安全乗車に寄与することは言うまでもない。【００３０】  次に背もたれ１１の起立状態から収納状態への動作を説明する。
起立状態において、背もたれ１１のフレーム２１ａ，２１ｂは図４の４０ｃに示すようにフレーム２１ａ，２１ｂの後端部はポケット部２５ａ，２５ｂに格納されている。ポケット部２５ａ，２５ｂはフレーム２１ａ，２１ｂを保持しているので背もたれ１１の不用意な回転を防いでいる。【００３１】  収納状態にする為に、先ず乗員は背もたれ１１を上方に引き上げる。背もたれ１１のフレーム２１ａ，２１ｂがポケット部２５ａ，２５ｂから抜かれ、図４の４０ｂに示すように背もたれ１１はフレーム２１ａ，２１ｂと共に回転可能となる。次に乗員は背もたれ１１を前方に回転させる。この回転操作によって背もたれ１１はフレーム２１ａ，２１ｂと共に支柱２４の両端部を支点として回転しながら倒され、背もたれ１１が水平状態、もしくはほぼ水平状態になる。次に乗員は背もたれ１１を後方に押す。背もたれ１１のフレーム２１ａ，２１ｂの後端部がポケット部２６ａ，２６ｂにスライドしながら収納され、図２及び図４の４０ａに示すように背もたれ１１は収納状態となる。【００３２】  図５は小荷物の収納スペースを備えた背もたれ１１を示す斜視図である。図５は荷室を備えた後部座席装置１０の実施例を示している。このように後部座席装置１０は、雨具等の小荷物を収納できるように構成可能である。背もたれ１１は荷台１１ａに荷室５１を備え、開閉可能な扉５２を有している。扉５２は閉じた状態において荷台１１ａの一部となる。【００３３】  背もたれ１１の上記収納状態において、乗員は荷台１１ａに備わった扉５２を開ける。上記小荷物を荷室５１に収納し、収納が完了したら扉５２を閉じる。扉は図示しないロック機構により不用意に開かないように構成されているので、背もたれ１１が起立状態にあっても背もたれ１１は小荷物の収納を継続できる。また上記構成において上記扉５２を施錠できるように構成することに問題はない。【００３４】  以上の実施形態で説明された構成等については本発明が理解・実施できる程度に概略的に示したものにすぎず、従って本発明は、説明された実施形態に限定されるものではなく、特許請求の範囲に示される技術的思想の範囲を逸脱しない限り様々な形態に変更することができる。【００３５】  なお上記の実施形態では、スポーツタイプと称される自動二輪車に適用したが、種類に限定されず自動二輪車に適用可能である。
【産業上の利用可能性】
【００３６】  本発明は、後部座席を備える自動二輪車に適用し、後部座席の機能と荷台の機能を選択的にかつ好適に用いることができる。
【図面の簡単な説明】
【００３７】
【図１】  本発明に係る後部座席装置の起立状態を示す斜視図である。
【図２】  図１の後部座席装置の収納状態を示す斜視図である。
【図３】  後部座席装置の背もたれを示す斜視図である。
【図４】  後部座席装置の可動状態を段階的に示す拡大図である。
【図５】  荷室を備えた後部座席装置の背もたれを示す斜視図である。
【符号の説明】
【００３７】１０            後部座席装置
１１            背もたれ
１２            後部座席
２１ａ，２１ｂ  フレーム
２２ａ，２２ｂ  フレーム２１ａ，２１ｂに備わるガイド部
２５ａ，２５ｂ  起立状態にて用いられるポケット部
２６ａ，２６ｂ  収納状態にて用いられるポケット部
５１            荷室
【図１】
2005335660.tif 000003
【図２】
2005335660.tif 000004
【図３】
2005335660.tif 000005
【図４】
2005335660.tif 000006
【図５】
2005335660.tif 000007